(57)【要約】【課題】  電子鍵盤楽器に対して、非使用状態においてアコースティックピアノ等の自然鍵盤楽器と同様の外観を確保するとともに、蓋開状態において操作パネル等を配置する充分なスペースを確保する。【解決手段】  蓋ユニット２０は、蝶番２６で結合された前蓋２２と後蓋２４とから成り、後蓋回転軸２４ａはガイド溝部８に遊挿される。前蓋２２を持ち上げながら時計方向に回動させると、後蓋２４は反時計方向に回動する。そして、両者が折り畳まれた状態で回転軸２４ａが後端部８ｃに達したときにユーザが手を離すと、パネル部１６によって蓋ユニット２０が係止され、鍵盤部１４およびパネル部１６が露出する。【選択図】  図１
2007233213.tif 000002
【特許請求の範囲】
【請求項１】
筐体と、
前記筐体の前部に配置され、複数の鍵からなる鍵盤部と、
前記鍵盤部の上方かつ後方に配置されたパネル部と
開状態で前記鍵盤部および前記パネル部を露出させ、閉状態において前記鍵盤部および前記パネル部の前方を覆うとともに、回動可能に構成された蓋ユニットと、
前記鍵盤部および前記パネル部の左右に設けられ、前記筐体の前後方向に沿って、前記蓋ユニットを可動ならしめる一対のガイド機構と、
前記蓋ユニットを前記パネル部の後方位置に係止する係止部と
を具備し、前記開状態において、少なくとも前記閉状態における位置よりも後方の位置に前記蓋ユニットの回動中心を移動し、右側面視において前記蓋ユニットを前記閉状態よりも反時計方向に回動し、該蓋ユニットの時計方向への回動を前記係止部が係止する状態になる
ことを特徴とする電子鍵盤楽器。
【請求項２】
前記蓋ユニットの前記閉状態から前記開状態に至るまでの前記回動中心の水平方向の移動距離を、前記鍵盤部の前端から前記パネル部の後端までの水平方向の距離よりも短くしたことを特徴とする請求項１記載の電子鍵盤楽器。
【請求項３】
前記蓋ユニットの前記閉状態から前記開状態に至るまでの前記回動中心の水平方向の移動距離を、前記パネル部の前後方向の幅よりも短くしたことを特徴とする請求項１記載の電子鍵盤楽器。
【請求項４】
前記蓋ユニットは、前記閉状態から前記開状態に移行する際、右側面視において反時計方向に回動し、しかる後に後方にスライドする第１の蓋部材を有することを特徴とする請求項２または３記載の電子鍵盤楽器。
【請求項５】
前記ガイド機構は、前記蓋ユニットが前記閉状態から前記開状態に至るまで、前記回動中心の位置および移動経路を規制するものであることを特徴とする請求項１記載の電子鍵盤楽器。
【請求項６】
前記蓋ユニットは、第１の蓋部材と、該第１の蓋部材に対して結合部を軸として回動自在に結合された第２の蓋部材とを有し、前記閉状態において前記結合部に沿って折り畳まれた状態になるものであり、
前記回動中心は、前記第１の蓋部材上に位置するものであり、
前記ガイド機構は、前記蓋ユニットが前記閉状態から前記開状態に至るまで、前記回動中心の位置および移動経路を規制するものである
ことを特徴とする請求項１記載の電子鍵盤楽器。
【請求項７】
前記第１の蓋部材は、前記蓋ユニットが前記閉状態から前記開状態に移行する際に右側面視において反時計方向に回動するものであり、
前記第２の蓋部材は、前記蓋ユニットが前記閉状態から前記開状態に移行する際に右側面視において時計方向に回動するものである
ことを特徴とする請求項６記載の電子鍵盤楽器。
【請求項８】
前記閉状態における前記蓋ユニットの後端部は、前記パネル部の後端部よりも前方に位置するように構成されていることを特徴とする請求項１ないし７の何れかに記載の電子鍵盤楽器。
【請求項９】
前記蓋ユニットが前記閉状態から前記開状態に移行する際、該蓋ユニットの回動量を規制する回動規制部
をさらに有することを特徴とする請求項１ないし８の何れかに記載の電子鍵盤楽器。
【発明の詳細な説明】
【技術分野】
【０００１】
本発明は、特にインテリアとしての美観が要求されるものに用いて好適な電子鍵盤楽器に関する。
【背景技術】
【０００２】
鍵盤楽器または電子鍵盤楽器に採用されている鍵盤蓋としては、鍵盤の後方に回動中心を有する単なる開閉構造の蓋が多い。しかし、このような鍵盤蓋とは異なる特殊な構造を有するものも種々提案されている。例えば、特許文献１，２には、鍵盤蓋を開けるときに鍵盤蓋が回動しつつ後方にスライドするものが開示されている。また、特許文献３には、鍵盤蓋をほぼ水平に保ったまま後方にスライドさせ、蓋開状態では鍵盤蓋が電子鍵盤楽器の内部に収納されるものが開示されている。
【０００３】
【特許文献１】特開２００４−３０２４１９号公報
【特許文献２】特開平１１−６５５５２号公報
【特許文献３】実公平７−４９５１１号公報
【発明の開示】
【発明が解決しようとする課題】
【０００４】
ところで、一般消費者であるユーザの部屋の中に載置される電子鍵盤楽器は、非使用状態においてインテリアとしての美しさが求められることが多い。このため、電子鍵盤楽器に対して、非使用状態においてアコースティックピアノ等の自然鍵盤楽器と同様の外観構成を採用することが望ましいものと考えられる。しかし、電子鍵盤楽器は、自然鍵盤楽器とは異なり、様々なパラメータを設定・表示できるものであるから、そのための操作パネルを配置するスペースを確保する必要がある。
この発明は上述した事情に鑑みてなされたものであり、非使用状態すなわち蓋閉状態において自然鍵盤楽器と同様の外観を有する電子鍵盤楽器を提供することを第１の目的としている。また、蓋開状態において操作パネル等を配置する充分なスペースを確保することができる電子鍵盤楽器を提供することを目的としている。
【課題を解決するための手段】
【０００５】
上記課題を解決するため本発明にあっては、下記構成を具備することを特徴とする。なお、括弧内は例示である。
請求項１記載の電子鍵盤楽器にあっては、筐体（２）と、前記筐体（２）の前部に配置され、複数の鍵からなる鍵盤部（１４）と、前記鍵盤部（１４）の上方かつ後方に配置されたパネル部（１６）と開状態で前記鍵盤部（１４）および前記パネル部（１６）を露出させ、閉状態において前記鍵盤部（１４）および前記パネル部（１６）の前方を覆うとともに、回動可能に構成された蓋ユニット（２０）と、前記鍵盤部（１４）および前記パネル部（１６）の左右に設けられ、前記筐体（２）の前後方向に沿って、前記蓋ユニット（２０）を可動ならしめる一対のガイド機構（８）と、前記蓋ユニット（２０）を前記パネル部（１６）の後方位置に係止する係止部（１６ａ）とを具備し、前記開状態において、少なくとも前記閉状態における位置（前端部８ａ）よりも後方の位置（後端部８ｃ）に前記蓋ユニット（２０）の回動中心（２４ａ）を移動し、右側面視において前記蓋ユニット（２０）を前記閉状態よりも反時計方向に回動し、該蓋ユニット（２０）の時計方向への回動を前記係止部（１６ａ）が係止する状態になることを特徴とする。
さらに、請求項２記載の構成にあっては、請求項１記載の電子鍵盤楽器において、前記蓋ユニット（２０）の前記閉状態から前記開状態に至るまでの前記回動中心（２４ａ）の水平方向の移動距離（Ｌ１）を、前記鍵盤部（１４）の前端から前記パネル部（１６）の後端までの水平方向の距離（Ｌ２）よりも短くしたことを特徴とする。
さらに、請求項３記載の構成にあっては、請求項１記載の電子鍵盤楽器において、前記蓋ユニット（２０）の前記閉状態から前記開状態に至るまでの前記回動中心（２４ａ）の水平方向の移動距離（Ｌ１）を、前記パネル部（１６）の前後方向の幅（Ｌ３）よりも短くしたことを特徴とする。
さらに、請求項４記載の構成にあっては、請求項２または３記載の電子鍵盤楽器において、前記蓋ユニット（２０）は、前記閉状態から前記開状態に移行する際、右側面視において反時計方向に回動し、しかる後に後方にスライドする第１の蓋部材（２４）を有することを特徴とする。
さらに、請求項５記載の構成にあっては、請求項１記載の電子鍵盤楽器において、前記ガイド機構（８）は、前記蓋ユニット（２０）が前記閉状態から前記開状態に至るまで、前記回動中心（２４ａ）の位置および移動経路（ガイド溝部８の経路）を規制するものであることを特徴とする。
さらに、請求項６記載の構成にあっては、請求項１記載の電子鍵盤楽器において、前記蓋ユニット（２０）は、第１の蓋部材（２４）と、該第１の蓋部材（２４）に対して結合部（２６）を軸として回動自在に結合された第２の蓋部材（２２）とを有し、前記閉状態において前記結合部（２６）に沿って折り畳まれた状態になるものであり、前記回動中心（２４ａ）は、前記第１の蓋部材（２４）上に位置するものであり、前記ガイド機構（８）は、前記蓋ユニット（２０）が前記閉状態から前記開状態に至るまで、前記回動中心（２４ａ）の位置および移動経路（ガイド溝部８の経路）を規制するものであることを特徴とする。
さらに、請求項７記載の構成にあっては、請求項６記載の電子鍵盤楽器において、前記第１の蓋部材（２４）は、前記蓋ユニット（２０）が前記閉状態から前記開状態に移行する際に右側面視において反時計方向に回動するものであり、前記第２の蓋部材（２２）は、前記蓋ユニット（２０）が前記閉状態から前記開状態に移行する際に右側面視において時計方向に回動するものであることを特徴とする。
さらに、請求項８記載の構成にあっては、請求項１ないし７の何れかに記載の電子鍵盤楽器において、前記閉状態における前記蓋ユニット（２０）の後端部（後蓋２４）は、前記パネル部（１６）の後端部（ゴムローラ１６ａの位置）よりも前方に位置するように構成されていることを特徴とする。
さらに、請求項９記載の構成にあっては、請求項１ないし８の何れかに記載の電子鍵盤楽器において、前記蓋ユニット（２０）が前記閉状態から前記開状態に移行する際、該蓋ユニット（２０）の回動量を規制する回動規制部（１１）をさらに有することを特徴とする。
【発明の効果】
【０００６】
このように本発明によれば、電子鍵盤楽器の非使用状態すなわち蓋閉状態において鍵盤部およびパネル部の前方を覆うように蓋ユニットを構成したから、蓋閉状態において自然鍵盤楽器と同様の外観を確保することができる。さらに、蓋開状態においては、少なくとも閉状態における位置よりも後方の位置に蓋ユニットの回動中心を移動し、右側面視において蓋ユニットが閉状態よりも反時計方向に回動し、該蓋ユニットの時計方向への回動を係止部が係止するから、蓋開状態において操作パネル等を配置する充分なスペースを確保することができる。
【発明を実施するための最良の形態】
【０００７】
1．実施例の構成
次に、本発明の一実施例の電子鍵盤楽器の構成を図１を参照し説明する。なお、本実施例の電子鍵盤楽器は、ほぼ左右対称に形成された左右の側板を有するものであるが、図１は右側板を取り去った状態における電子鍵盤楽器の右側面図である。図１において２は略長方形板状の棚板であり、その左端部から上方に向かって突出するように、左側板４が固定されている。また、棚板２の下面からは、支持脚３２，３４が下方に向かって突出している。棚板２の前端部分（図上では左端部分）からは、上方に向かって長方形板状の口棒１２が突出している。そして、口棒１２の後方（図上では右方）には、鍵盤部１４が設けられている。鍵盤部１４の斜め後方上部には、奥行きＬ３の略長方形板状のパネル部１６が傾斜して設けられている。パネル部１６の最後端部分には、回動自在のゴムローラ１６ａが取り付けられている。１８はパネル部固定アングルであり、棚板２の上面に固定され、パネル部１６を支持する。
【０００８】
棚板２の内側面には、ガイド溝部８が形成されている。ガイド溝部８は、幅、深さとも「２０〜３０ｍｍ」程度のものであり、前端部８ａから頂部８ｂまでほぼ垂直に上昇し、頂部８ｂから後端部８ｃに向かって僅かに下降するように形成されている。なお、図示せぬ右側板の内側面においても、ガイド溝部８に対して対称形のガイド溝部が形成されている。
【０００９】
２０は蓋ユニットであり、前蓋２２と、後蓋２４と、両者を相互に回動自在に結合する蝶番２６とから構成されている。なお、後蓋２４は、アコースティックピアノにおいて「前板」と呼ばれるものに相当するが、アコースティックピアノの前板は側板に固定されているのに対して、本実施例の後蓋２４は開閉する点で異なる。前蓋２２は湾曲した板状に形成され、後蓋２４は長方形平板状に形成され、その中心からやや上端部寄りの箇所には、小円柱状の一対の後蓋回転軸２４ａが左右方向に突出している。この後蓋回転軸２４ａは、左側板４および図示せぬ右側板のガイド溝部８に遊挿されている。
【００１０】
また、後蓋２４の上端正面部分には、円盤状のゴム板であるストッパ１０が固着されている。このストッパは、前蓋２２および後蓋２４が衝突して傷付くことを防止する物である。また、後蓋２４の上端背面部分は約「４５°」の角度で切り欠かれ、切欠部２４ｂが形成されている。また、天板３８の下方において、左側板４には桟状の回動規制部１１が固着されている。回動規制部１１の前端部は約「４５°」の角度で切り欠かれ、上記切欠部２４ｂに衝合する切欠部１１ａが形成されている。切欠部１１ａの後方にはやや肉厚状態の肉厚部１１ｂが形成され、そのさらに後方には、やや肉薄状態の肉薄部１１ｃが形成されている。３８は天板であり、電子鍵盤楽器の上面を覆う。なお、図示を省略するが、天板３８および棚板２の背面部分を覆うように背面板が設けられる。
【００１１】
次に、右側板、背面板、鍵盤部１４および天板３８を取り去った電子鍵盤楽器を後方斜め上から眺めた状態の斜視図を図２に示す。パネル部１６には、各種操作子やディスプレイ等を配置した操作パネル１６ｃが設けられており、パネル部１６の左右端には、操作パネル１６ｃよりもやや上方向に盛り上がったガード部１６ｂ，１６ｂが形成されている。ガード部１６ｂ，１６ｂは、ユーザが誤って前蓋２２をパネル部１６に落としたときに操作パネル１６ｃを保護するものである。
【００１２】
2．実施例の動作
次に、本実施例の動作を説明する。まず、上述した図１および図２に示した蓋ユニット２０の状態は、「閉状態」である。この「閉状態」において後蓋回転軸２４ａはガイド溝部８の前端部８ａに位置し、該前端部８ａにおいて後蓋２４が把持された状態になる。これにより、閉状態においては、蓋ユニット２０の位置は図１に示す位置に固定されることになる。また、図１を参照すると、閉状態において蓋ユニット２０の後端部（最も後方向に位置する部材）は後蓋２４である。この後蓋２４が、パネル部１６の後端部（ゴムローラ１６ａが設けられている位置）よりも前方に位置することが、本実施例の特徴の一つになっている。
【００１３】
次に、図１においてユーザが前蓋２２を時計方向に回動させながら、斜め後上方向に（図上では斜め右上方向に）若干持ち上げた状態の側面図を図３に示す。図３において後蓋２４は、後蓋回転軸２４ａにおいてガイド溝部８の前端部８ａに把持された状態であるが、反時計方向に若干回動し、後蓋２４が回動規制部１１から離れている。そして、ユーザが前蓋２２をさらに持ち上げた状態を図４に示す。このように、右側面視において前蓋２２が時計方向に回動し、後蓋２４が反時計方向に回動することにより、両者が折り畳まれ、鍵盤部１４およびパネル部１６が成す広い範囲が露出される。
【００１４】
ユーザが前蓋２２をさらに持ち上げつつ回動させると、蓋ユニット２０は図５に示す状態になる。この状態においては、前蓋２２が、後蓋２４に固着されたストッパ１０に接するようになる。すなわち、この状態においてユーザがさらに前蓋２２を持ち上げようとすると、後蓋２４の後蓋回転軸２４ａ付近にも、上向きの力が印加されることになる。実際に、このように前蓋２２を持ち上げた状態を図６に示す。同図の状態においては、後蓋回転軸２４ａはガイド溝部８の頂部８ｂにまで達している。
【００１５】
この状態でユーザが前蓋２２を後方向に押すと、図７に示すように、回転軸２４ａがガイド溝部８に摺動しつつ、後端部８ｃに向かう。そして、後蓋回転軸２４ａが後端部８ｃに到達したときに、ユーザが前蓋２２から手を離すと、図８に示すように、後蓋２４の切欠部２４ｂが回動規制部１１の肉薄部１１ｃに当接し、前蓋２２がゴムローラ１６ａに当接した状態で、前蓋２２および後蓋２４がパネル部１６の後方に収納された状態になる。すなわち、蓋ユニット２０は、開状態において図８に示す位置に固定されることになる。上述した動作は蓋ユニット２０を閉状態から開状態にする動作であったが、開状態から閉状態にするときは、ユーザは前蓋２２を把持して持ち上げ、上述したのと逆の動きをさせるとよい。
【００１６】
本実施例においては、蓋ユニット２０の動きはガイド溝部８および回動規制部１１等によって規制されるが、この規制の範囲内で蓋ユニット２０を比較的自由に動かすことができる。例えば、前蓋２２の後端部（蝶番２６の取付箇所）をゴムローラ１６ａの上に乗せ、ゴムローラ１６ａ上を滑動させるように前蓋２２を開状態（図８参照）になるまで動かすこともできる。ここで、回動規制部１１の肉厚部１１ｂの厚さは、前蓋２２と後蓋２４とを折り畳んだ状態で、これらの結合部（蝶番２６の取付部）がパネル部１６に衝突しないように、蓋ユニット２０に傾斜角を与える厚さにすると好適である。このように、回動規制部１１は、蓋ユニット２０の回動状態を規制するものである。
【００１７】
ここで、再び図１を参照し、本実施例の各部の寸法関係を説明しておく。蓋ユニット２０が閉状態から開状態に至るまでの後蓋回転軸２４ａの水平方向の移動距離Ｌ１は、ガイド溝部８の水平方向の幅に等しい。この移動距離Ｌ１は、鍵盤部１４の前端からパネル部１６の後端までの水平方向の距離Ｌ２よりも短くなっている。さらに、この移動距離Ｌ１は、パネル部１６の奥行きＬ３よりも短くなっている。このように、本実施例によれば、蓋ユニット２０の僅かな移動量によって、広い範囲の鍵盤部１４およびパネル部１６を露出させることができるから、ガイド溝部８を短く形成することができる。さらに、ガイド溝部８は左右一対のみ形成すればよいため、電子鍵盤楽器全体を安価に構成することができる。
【００１８】
3．変形例
本発明は上述した実施例に限定されるものではなく、例えば以下のように種々の変形が可能である。
(1)上記実施例においては、ガイド溝部８を左右の側板に形成したが、後蓋回転軸２４ａをガイドする部材を電子鍵盤楽器のフレームに固定できれば、上記実施例以外の種々の構成を採用することもできる。その一例を図９に示す。図９は、電子鍵盤楽器の背面版３６を取り去った状態における背面図である。４２，４４は背面視Ｌ字状のレール固定アングルであり、右側板３および左側板４のやや内側に設けられ、棚板２の左右端に固定されている。４７，４８は金属製のレールであり、レール固定アングル４２，４４に固定され、上述したガイド溝部８と同等の軌道で後蓋回転軸２４ａをガイドするように構成されている。
【図面の簡単な説明】
【００１９】
【図１】本発明の一実施例の電子鍵盤楽器の閉状態の右側面図である。
【図２】該電子鍵盤楽器の閉状態の斜視図である。
【図３】電子鍵盤楽器が閉状態から開状態に遷移する第１段階の右側面図である。
【図４】電子鍵盤楽器が閉状態から開状態に遷移する第２段階の右側面図である。
【図５】電子鍵盤楽器が閉状態から開状態に遷移する第３段階の右側面図である。
【図６】電子鍵盤楽器が閉状態から開状態に遷移する第４段階の右側面図である。
【図７】電子鍵盤楽器が閉状態から開状態に遷移する第５段階の右側面図である。
【図８】電子鍵盤楽器の開状態の右側面図である。
【図９】変形例の電子鍵盤楽器の背面図である。
【符号の説明】
【００２０】
２：棚板（筐体）、４：左側板、８：ガイド溝部（ガイド機構）、８ａ：前端部、８ｂ：頂部、８ｃ：後端部、１０：ストッパ、１１：回動規制部、１２：口棒、１４：鍵盤部、１６：パネル部、１６ａ：ゴムローラ（係止部）、１８：パネル部固定アングル、２０：蓋ユニット、２２：前蓋（第２の蓋部材）、２４：後蓋（第１の蓋部材）、２４ａ：後蓋回転軸、２６：蝶番（結合部）、３２，３４：支持脚、３６：背面版、３８：天板、４２，４４：レール固定アングル。
【図１】
2007233213.tif 000003
【図２】
2007233213.tif 000004
【図３】
2007233213.tif 000005
【図４】
2007233213.tif 000006
【図５】
2007233213.tif 000007
【図６】
2007233213.tif 000008
【図７】
2007233213.tif 000009
【図８】
2007233213.tif 000010
【図９】
2007233213.tif 000011